(57)【要約】【課題】検索処理の負担を軽くし、できる限り短時間でユーザが所望するコンテンツが放送されているチャンネルの存在を通知する。【解決手段】いずれかのチャンネルのディジタル放送受信中に、予めユーザが指定したコンテンツを放送している他のチャンネルをコンテンツ内容情報に基づいて複数のチャンネルのうち予め設定されたチャンネルのみを検索し（ステップＳ１３〜Ｓ１６）、ユーザが受信を希望しているコンテンツを放送している他のチャンネルが検索された場合に、その旨を通知し、当該チャンネルのディジタル放送への受信切替の可否の入力を促す（ステップＳ１８）。【選択図】図６
2010141768.tif 000002
【特許請求の範囲】
【請求項１】
放送中のコンテンツの内容を表すコンテンツ内容情報を配信可能なディジタル放送を複数のチャンネルのうちから選択的に受信可能なディジタル放送受信機において、
前記複数のチャンネルの内、いずれかのチャンネルのディジタル放送受信中に、予めユーザが指定したコンテンツを放送している他のチャンネルを前記コンテンツ内容情報に基づいて検索するに際し、前記複数のチャンネルのうち予め設定されたチャンネルのみを検索対象として検索を行い、前記ユーザが受信を希望しているコンテンツを放送している他のチャンネルが検索された場合に、その旨を通知し、当該チャンネルのディジタル放送への受信切替の可否の入力を促すことを特徴とするディジタル放送受信機。
【請求項２】
請求項１記載のディジタル放送受信機において、
前記複数のチャンネルの内、前記検索対象のチャンネルを特定する情報を更新可能に予め記憶する検索対象チャンネル記憶部と、
ユーザが受信を希望するコンテンツの内容を特定するためのコンテンツ特定情報を予め記憶するコンテンツ特定記憶部と、
いずれかのチャンネルの放送を受信中に、前記検索対象チャンネル記憶部を参照して前記検索対象のチャンネルのコンテンツ内容情報を所定の順番で順次受信する受信部と、
前記他のチャンネルのコンテンツ内容情報が、前記コンテンツ内容記憶部に登録されているコンテンツ特定情報と一致した場合に、前記ユーザが受信を希望しているコンテンツを放送している他のチャンネルが検索されたものとして、その旨を通知する通知部と、
を備えたことを特徴とするディジタル放送受信機。
【請求項３】
請求項２記載のディジタル放送受信機において、
前記ユーザが受信を希望しているコンテンツを放送している他のチャンネルが検索された場合に、当該チャンネルのディジタル放送受信がユーザにより指示された場合に、当該チャンネルの検索順番を早くするように前記所定の順番を更新することを特徴とするディジタル放送受信機。
【請求項４】
放送中のコンテンツの内容を表すコンテンツ内容情報を配信可能なディジタル放送を複数のチャンネルのうちから選択的に受信可能なディジタル放送受信機の制御方法において、
前記複数のチャンネルの内、いずれかのチャンネルのディジタル放送を受信する受信過程と、
予めユーザが指定したコンテンツを放送している他のチャンネルを前記コンテンツ内容情報に基づいて検索するに際し、前記複数のチャンネルのうち予め設定されたチャンネルのみを検索対象として検索を行う検索過程と、
前記ユーザが受信を希望しているコンテンツを放送している他のチャンネルが検索された場合に、その旨を通知する通知過程と、
当該チャンネルのディジタル放送への受信切替の可否の入力を促す入力過程と、
備えたことを特徴とするディジタル放送受信機の制御方法。
【請求項５】
放送中のコンテンツの内容を表すコンテンツ内容情報を配信可能なディジタル放送を複数のチャンネルのうちから選択的に受信可能なディジタル放送受信機をコンピュータにより制御するための制御プログラムにおいて、
前記複数のチャンネルの内、いずれかのチャンネルのディジタル放送を受信させる手段と、
予めユーザが指定したコンテンツを放送している他のチャンネルを前記コンテンツ内容情報に基づいて検索するに際し、前記複数のチャンネルのうち予め設定されたチャンネルのみを検索対象として検索を行わせる手段と、
前記ユーザが受信を希望しているコンテンツを放送している他のチャンネルが検索された場合に、その旨を通知する手段と、
当該チャンネルのディジタル放送への受信切替の可否の入力を促させる手段と、
を前記コンピュータに実現させることを特徴とする制御プログラム。
【発明の詳細な説明】
【技術分野】
【０００１】
本発明は、ディジタル放送受信機、ディジタル放送受信機の制御方法及び制御プログラムに関する。
【背景技術】
【０００２】
衛星ディジタル放送ラジオは、多チャンネル放送が可能となっており、例えば、北米のＸＭ社から提供されているサービスにおいては、１９０チャンネル以上の放送がなされている。
このような多チャンネル放送においては、自分の好み、あるいは、聞きたい音楽などの所望のコンテンツが放送されていたとしても、探し出すことが困難であるというデメリットが生じる。
【０００３】
これを解決するため、ディジタルラジオ放送において、多重放送が行われており、チャンネルごとに各種の付加情報が送信されている。例えば、楽曲の放送であれば、付加情報として、サービスＩＤ、アーティスト名、曲名、カテゴリ名、テキスト情報などが送信されている（例えば、特許文献１参照）
したがって、これらの情報を用いて、自分のお気に入りのアーティスト名や、楽曲名などのコンテンツ内容を特定するための情報を予め登録しておき、ユーザが現在選局していないチャンネルにおいて登録したアーティストの楽曲や、登録した楽曲が放送されていることをデータ放送を利用して検出すると、その旨をアラートによりユーザに通知するアラート機能が提案されている。
【０００４】
従来のアラート機能においては、登録されたアーティスト名あるいは楽曲名などのコンテンツ内容を特定するための情報を検索する際に、最初に現在選局し、受信しているチャンネルのチャンネル番号に１を加算したチャンネル番号（あるいは１を減算したチャンネル番号）に相当するチャンネルのデータ放送を受信し、登録されたアーティスト名あるいは楽曲名が含まれているか否かを判別し、含まれていた場合には、アラートを通知し、含まれていない場合には、再び現在の検索対象のチャンネルのチャンネル番号に１を加算したチャンネル番号（あるいは１を減算したチャンネル番号）に相当するチャンネルのデータ放送を受信して同様の処理を行い、全チャンネルの検索が終了するまで処理を継続することとなっていた。
【０００５】
例えば、放送チャンネル数が１９０チャンネルの場合、上記処理を１９０回繰り返すこととなっていた。
したがって、登録したアーティストの楽曲あるいは登録した楽曲の再生が開始されてからアラートが通知されるまでには、検索処理に必要な時間だけ遅延時間が発生するという問題点があった。
そこで、本発明の目的は、アラート機能を実行する際の検索処理をより早く完了させることが可能なディジタル放送受信機、ディジタル放送受信機の制御方法および制御プログラムを提供することにある。
【特許文献１】特開２００２−１９８８４０号公報
【発明の開示】
【発明が解決しようとする課題】
【０００６】
上記従来のディジタル放送受信機においては、全てのチャンネルを検索対象としていたため、検索に非常に時間がかかってしまっていた。
しかしながら、実際には、検索対象から除いてしまってもあまり問題がないチャンネルが存在しており、このようなチャンネルまで検索対象とするのは意味がなかった。
例えば、ユーザが受信することを望まないチャンネルについては予め登録しておき、そのようなチャンネルを誤ってユーザが選択した場合であっても当該チャンネルの受信は行わないように制御を行っていたにもかかわらず、従来このようなチャンネルも検索対象となっており、かえって処理の負担が増すだけであった。
そこで、本発明の目的は、検索処理の負担を軽くし、できる限り短時間でユーザが所望するコンテンツが放送されているチャンネルの存在を通知することが可能なディジタル放送受信機、ディジタル放送受信機の制御方法及び制御プログラムを提供することにある。
【課題を解決するための手段】
【０００７】
上記課題を解決するため、本発明の第１態様は、放送中のコンテンツの内容を表すコンテンツ内容情報を配信可能なディジタル放送を複数のチャンネルのうちから選択的に受信可能なディジタル放送受信機において、前記複数のチャンネルの内、いずれかのチャンネルのディジタル放送受信中に、予めユーザが指定したコンテンツを放送している他のチャンネルを前記コンテンツ内容情報に基づいて検索するに際し、前記複数のチャンネルのうち予め設定されたチャンネルのみを検索対象として検索を行い、前記ユーザが受信を希望しているコンテンツを放送している他のチャンネルが検索された場合に、その旨を通知し、当該チャンネルのディジタル放送への受信切替の可否の入力を促すことを特徴とする。
上記構成によれば、いずれかのチャンネルのディジタル放送受信中に、予めユーザが指定したコンテンツを放送している他のチャンネルをコンテンツ内容情報に基づいて複数のチャンネルのうち予め設定されたチャンネルのみを検索し、ユーザが受信を希望しているコンテンツを放送している他のチャンネルが検索された場合に、その旨を通知し、当該チャンネルのディジタル放送への受信切替の可否の入力を促すので、迅速にユーザに通知及び受信切替の可否の入力を促すことができる。
【０００８】
また、本発明の第２態様は、第１の態様において、前記複数のチャンネルの内、前記検索対象のチャンネルを特定する情報を更新可能に予め記憶する検索対象チャンネル記憶部と、ユーザが受信を希望するコンテンツの内容を特定するためのコンテンツ特定情報を予め記憶するコンテンツ特定記憶部と、いずれかのチャンネルの放送を受信中に、前記検索対象チャンネル記憶部を参照して前記検索対象のチャンネルのコンテンツ内容情報を所定の順番で順次受信する受信部と、前記他のチャンネルのコンテンツ内容情報が、前記コンテンツ内容記憶部に登録されているコンテンツ特定情報と一致した場合に、前記ユーザが受信を希望しているコンテンツを放送している他のチャンネルが検索されたものとして、その旨を通知する通知部と、を備えたことを特徴とする。
上記構成によれば、単純な処理で、実効的な検索時間を短縮することができる。
【０００９】
また、本発明の第３態様は、第２態様において、前記ユーザが受信を希望しているコンテンツを放送している他のチャンネルが検索された場合に、当該チャンネルのディジタル放送への受信切替がユーザにより指示された場合に、当該チャンネルの検索順番を早くするように前記所定の順番を更新することを特徴とする。
上記構成によれば、受信切替が指示されたチャンネルは、再度指示が出される可能性が高いため、実効的な検索時間を短縮することができる。
【００１０】
また、本発明の第４態様は、放送中のコンテンツの内容を表すコンテンツ内容情報を配信可能なディジタル放送を複数のチャンネルのうちから選択的に受信可能なディジタル放送受信機の制御方法において、前記複数のチャンネルの内、いずれかのチャンネルのディジタル放送を受信する受信過程と、予めユーザが指定したコンテンツを放送している他のチャンネルを前記コンテンツ内容情報に基づいて検索するに際し、前記複数のチャンネルのうち予め設定されたチャンネルのみを検索対象として検索を行う検索過程と、前記ユーザが受信を希望しているコンテンツを放送している他のチャンネルが検索された場合に、その旨を通知する通知過程と、当該チャンネルのディジタル放送への受信切替の可否の入力を促す入力過程と、備えたことを特徴とする。
上記構成によれば、迅速にユーザに通知及び受信切替の可否の入力を促すことができる。
【００１１】
また、本発明の第５態様は、放送中のコンテンツの内容を表すコンテンツ内容情報を配信可能なディジタル放送を複数のチャンネルのうちから選択的に受信可能なディジタル放送受信機をコンピュータにより制御するための制御プログラムにおいて、前記複数のチャンネルの内、いずれかのチャンネルのディジタル放送を受信させる手段と、予めユーザが指定したコンテンツを放送している他のチャンネルを前記コンテンツ内容情報に基づいて検索するに際し、前記複数のチャンネルのうち予め設定されたチャンネルのみを検索対象として検索を行わせる手段と、前記ユーザが受信を希望しているコンテンツを放送している他のチャンネルが検索された場合に、その旨を通知する手段と、当該チャンネルのディジタル放送への受信切替の可否の入力を促させる手段と、を前記コンピュータに実現させることを特徴とする。
上記構成によれば、迅速にユーザに通知及び受信切替の可否の入力を促すことができる。
【発明の効果】
【００１２】
本発明によれば、検索対象のチャンネル数を絞り込むことにより、検索時間を短縮することができ、ひいては、ユーザに迅速に所望のコンテンツを聴取させることが可能となる。
【発明を実施するための最良の形態】
【００１３】
次に図面を参照して本発明の好適な実施の形態について説明する。
図１は、実施形態の車載用ディジタルラジオ受信装置の概要構成ブロック図である。
車載用ディジタルラジオ受信装置１０は、アンテナ１１、サテライトチューナ１２、ＤＳＰ（Ｄｉｇｉｔａｌ  Ｓｉｇｎａｌ  Ｐｒｏｃｅｓｓｏｒ）１３、メインマイコン１５、サブマイコン１６、ＬＣＤ（Ｌｉｑｕｉｄ  Ｃｒｙｓｔａｌ  Ｄｉｓｐｌａｙ）１７、タッチパネル１８、増幅回路１９、および、スピーカ２０を主要な構成要素としている。なお、図１において、実線は音声信号を示し、破線は制御信号を示している。
【００１４】
アンテナ１１は、図示せぬ放送衛星から送信されるサテライトラジオ放送の電波を捕捉し、サテライトチューナ１２に供給する。ここで、サテライトラジオ放送は、例えば、２５０程度のチャンネルを有し、それぞれのチャンネルは、ディジタル化された音声信号を伝送する。また、後述するように、それぞれのチャンネルには、放送内容に応じたカテゴリが割り当てられており、このカテゴリに付与された項目によって放送の内容が示される。さらに、放送しているコンテンツ（例えば、楽曲、ニュースなど）の内容に応じて、コンテンツ内容情報（例えば、番組名、アーティスト名、楽曲名、キーワードなど）がデータとして放送と同時に送信されている。したがって、カテゴリあるいはコンテンツ内容情報に対応するデータに基づいて検索を行うことにより、所望のチャンネルを見つけることができる。
【００１５】
サテライトチューナ１２は、アンテナ１１によって捕捉されたサテライトラジオ放送の電波から、メインマイコン１５によって指定される所定のチャンネルの放送を選択して受信し、ＤＳＰ１３に出力する。ＤＳＰ１３は、サテライトチューナ１２から供給される信号に対して復号処理を施し、音声データを生成する。さらに、ＤＳＰ１３は、生成された音声データに対して、フィルタリング処理、音量の調整処理を施した後、アナログ信号としての音声信号に変換し、増幅回路１９に出力する。
【００１６】
メインマイコン１５は、ＲＯＭ（Ｒｅａｄ  Ｏｎｌｙ  Ｍｅｍｏｒｙ）１５ａ、ＲＡＭ（Ｒａｎｄｏｍ  Ａｃｃｅｓｓ  Ｍｅｍｏｒｙ）１５ｂ、不揮発性データを記憶するＥＥＰＲＯＭ（Ｅｌｅｃｔｒｉｃａｌ  ａｎｄ  Ｅｒａｓａｂｌｅ  ＲＯＭ）１５ｃを有しており、ＲＡＭ１５ｂをワークエリアとしてＥＥＰＲＯＭ１５ｃに記憶しているデータ等を参照して、ＲＯＭ１５ａに記憶されているプログラムを実行することにより、装置の各部を制御する。
ここで、ＥＥＰＲＯＭ１５ｃは、後に詳述するが、有効チャンネルリスト２１、検索対象チャンネルリスト２２、ユーザが指定したコンテンツ特定データを記憶するコンテンツ特定情報記憶部２３などを記憶することとなる。
【００１７】
サブマイコン１６は、メインマイコン１５から供給された描画命令に基づいて描画処理を実行し、得られた画像をＬＣＤ１７に供給して表示させる。また、サブマイコン１６は、タッチパネル１８の操作に応じた情報を生成してメインマイコン１５に出力する。ＬＣＤ１７は、サブマイコン１６から供給された映像を表示する。タッチパネル１８は、ＬＣＤ１７に重畳するように配置されており、ＬＣＤ１７に表示された情報を参照して、ユーザによる操作がなされた場合には、対応する情報を生成して出力する。
【００１８】
増幅回路１９は、ＤＳＰ１３から供給される音声信号を所定のゲインで増幅して電力を増幅した後に、スピーカ２０に供給する。スピーカ２０は、増幅回路１９から供給される音声信号を電気−音響変換して放音する。
【００１９】
ところで、サテライトチューナ１２によって受信されるサテライトラジオ放送には、前述したように、例えば、２５０チャンネル程度の放送が含まれており、サテライトチューナ１２は、メインマイコン１５によって指定された所定のチャンネルの放送を選択して受信する。
【００２０】
次に具体的な動作説明に先立ち、有効チャンネルリスト２１および検索対象チャンネルリスト２２の作成について説明する。
本実施形態では、有効チャンネルリスト２１は、受信対象の放送局からデータを取得（ダウンロード）している。したがって、例えば、全チャンネル割当可能数が２５６チャンネルである場合に、放送局は、実際に放送を行っているチャンネルが１９０チャンネルである場合には、１９０個のチャンネル番号および対応するチャンネル情報を通知する。
【００２１】
続いて、初期状態においては、ユーザは、自分が受信を希望するコンテンツが放送される可能性が高いチャンネルをチャンネル番号、予め定められたカテゴリ（Ｒｏｃｋ、Ｐｏｐ、Ｈｉｔｓ等）を選択し、対応するチャンネル番号を検索対象チャンネルリスト２２登録することとなる。なお、この登録を行わない場合には、初期状態において、全有効チャンネルが検索対象チャンネルリスト２２に含まれることとなる。
【００２２】
ところで、ユーザが受信を希望するコンテンツが実際に放送されているチャンネルを検索するチャンネル検索機能は、検索対象チャンネルリスト２２に含まれる全てのチャンネルについて、当該時点で放送しているコンテンツを監視する必要があるため、ディジタル放送の受信処理のバックグラウンドで継続的に監視を行っている。
したがって、本実施形態では、受信チャンネル設定処理などの他の優先度の高い処理が発生している状態を避けたタイミングである待機状態で検索処理を実行することとしている。
【００２３】
そして、有効チャンネルリスト２１および検索対象チャンネルリスト２２を参照し、有効チャンネルリストに含まれているチャンネル、かつ、検索対象チャンネルリストに含まれているチャンネルを実検索対象チャンネルとして扱う。また、検索に先立って、有効チャンネルリストと検索対象チャンネルリストとをマージ（例えば、論理積をとる）して、実検索対象チャンネルリストとして用意してもよい。
【００２４】
次にコンテンツ特定情報記憶部２３に記憶させるコンテンツ特定情報の設定について説明する。
図２は、コンテンツ受信時の画面の一例の説明図である。
放送受信画面３０は、コンテンツ特定情報の設定画面などの各種処理画面に移行させるためのメニューボタン３１と、受信しているチャンネルの番号を表示する受信チャンネル表示エリア３２と、受信しているチャンネル名を表示する受信チャンネル名表示エリア３３と、受信チャンネルに割り当てられているカテゴリを表示するカテゴリ表示エリア３４と、コンテンツの内容を表示するコンテンツ内容表示エリア３５と、を備えている。図２においては、コンテンツ内容表示エリア３５は、アーティスト名表示エリア３６および曲名表示エリア３７として用いられているが、コンテンツがニュースなどの場合には、サブタイトルが表示されるなどコンテンツに即した内容が表示されることとなる。
【００２５】
図３は、コンテンツ特定情報の設定画面としてのメニュー画面の表示例の説明図である。
本設定例は、現在受信しているコンテンツを次回のコンテンツ特定情報として特定する場合のものである。
図２において、メニューボタン３１に対応する領域をタッチパネル１８により操作すると、図３に示すように、メニュー画面４０に遷移する。
【００２６】
メニュー画面４０は、放送受信画面３０に戻るためのバックボタン４１と、ユーザが受信を希望するアーティスト名を登録するためのアーティスト名登録ボタン４２と、アーティスト名登録ボタン４２が有効（有効時、「ＯＮ」）か否かを表す機能設定ボタン４３と、ユーザが受信を希望する曲名を登録するための曲名登録ボタン４４と、曲名登録ボタン４４が有効（有効時、「ＯＮ」）か否かを表す機能設定ボタン４５と、を備えている。
なお、図３においては、登録ボタンとして有効なボタンは、アーティスト名登録ボタン４２および曲名登録ボタン４４のみであるが、人名、地名、品名、日付、天気などの各種キーワード等を登録するように構成することも可能である。
【００２７】
実際にコンテンツ特定情報を登録する場合には、例えば、アーティスト名を登録する場合には、アーティスト名登録ボタン４２に対応する領域をタッチパネル１８により操作する。
【００２８】
図４は、アーティスト名登録処理の説明図である。
これにより、ＬＣＤ１７には、図４に示すように、アーティスト名登録画面５０Ａが表示される。
アーティスト名登録画面５０Ａは、メニュー画面４０に戻るためのバックボタン５１と、ユーザが受信を希望するアーティスト名が表示される複数のアーティスト名表示登録ボタン５２Ａ〜５２Ｄと、対応するアーティスト名表示登録ボタンに既にアーティスト名が登録されている場合には、登録解除（Ｄｅｌｅｔｅ）ボタンとして機能し、未だアーティスト名が登録されていない場合には、登録（Ａｄｄ）ボタンとして機能する複数の登録／登録解除ボタン５３Ａ〜５３Ｄと、を備えている。
【００２９】
アーティスト名登録画面５０Ａにおいて、放送受信画面３０に表示されているアーティスト名（正確には、メニュー画面４０に遷移したときに放送受信画面３０に表示されていたアーティスト名）を登録したい場合には、未だアーティスト名が登録されていないいずれかの登録／登録解除ボタン５３Ａ〜５３Ｄに対応する領域をタッチパネル１８により操作する。具体的には、登録／登録解除ボタン５３Ｃに対応する領域をタッチパネル１８により操作した場合には、アーティスト名登録画面５０Ａは、アーティスト登録画面５０Ａ１に遷移し、登録／登録解除ボタン５３Ｃは、登録ボタンとして機能し、アーティスト名表示登録ボタン５２Ｃにアーティスト名「ａａａａａａ」が表示され、以降、登録／登録解除ボタン５３Ｃは、登録解除ボタンとして機能するために、「Ｄｅｌｅｔｅ」の文字が表示されることとなり、コンテンツ特定データとしてアーティスト名「ａａａａａａ」がコンテンツ特定情報記憶部２３に登録されることとなる。
【００３０】
逆にアーティスト登録画面５０Ａ１において、登録／登録解除ボタン５３Ｃに対応する領域をタッチパネル１８により操作した場合には、画面は、アーティスト名登録画面５０Ａと同一の画面に遷移し、登録／登録解除ボタン５３Ｃは、登録解除ボタンとして機能し、アーティスト名表示登録ボタン５２Ｃは、空白となり、以降、登録／登録解除ボタン５３Ｃは、登録ボタンとして機能するために、「Ａｄｄ」の文字が表示されることとなり、コンテンツ特定情報記憶部２３からは、コンテンツ特定データであったアーティスト名「ａａａａａａ」が削除されることとなる。
【００３１】
また、曲名を登録する場合には、図３において、曲名登録ボタン４４に対応する領域をタッチパネル１８により操作する。
図５は、曲名登録処理の説明図である。
これにより、ＬＣＤ１７には、図５に示すように、曲名登録画面６０Ａが表示される。
曲名登録画面６０Ａは、メニュー画面４０に戻るためのバックボタン６１と、ユーザが受信を希望するアーティスト名が表示される複数の曲名表示登録ボタン６２Ａ〜６２Ｄと、対応する曲名表示登録ボタン６２Ａ〜６２Ｄに既に曲名が登録されている場合には、登録解除（Ｄｅｌｅｔｅ）ボタンとして機能し、未だ曲名が登録されていない場合には、登録（Ａｄｄ）ボタンとして機能する複数の登録／登録解除ボタン６３Ａ〜６３Ｄと、を備えている。
【００３２】
曲名登録画面６０Ａにおいて、放送受信画面３０に表示されている曲名（正確には、メニュー画面４０に遷移したときに放送受信画面３０に表示されていた曲名）を登録したい場合には、未だ曲名が登録されていないいずれかの登録／登録解除ボタン６３Ａ〜６３Ｄに対応する領域をタッチパネル１８により操作する。具体的には、登録／登録解除ボタン６３Ｄに対応する領域をタッチパネル１８により操作した場合には、曲名登録画面６０Ａは、曲名登録画面６０Ａ１に遷移し、登録／登録解除ボタン６３Ｄは、登録ボタンとして機能し、曲名表示登録ボタン６２Ｄに曲名「ｓｓｓｓｓｓｓ」が表示され、以降、登録／登録解除ボタン６３Ｃは、登録解除ボタンとして機能するために、「Ｄｅｌｅｔｅ」の文字が表示されることとなり、コンテンツ特定データとして曲名「ｓｓｓｓｓｓｓ」がコンテンツ特定情報記憶部２３に登録されることとなる。
【００３３】
逆に曲名登録画面６０Ａ１において、登録／登録解除ボタン６３Ｄに対応する領域をタッチパネル１８により操作した場合には、画面は、曲名登録画面６０Ａと同一の画面に遷移し、登録／登録解除ボタン６３Ｄは、登録解除ボタンとして機能し、曲名表示登録ボタン６２Ｄは、空白となり、以降、登録／登録解除ボタン６３Ｄは、登録ボタンとして機能するために、「Ａｄｄ」の文字が表示されることとなり、コンテンツ特定情報記憶部２３からは、コンテンツ特定データであった曲名「ｓｓｓｓｓｓｓ」が削除されることとなる。
【００３４】
次にチャンネル検索時の処理について説明する。
図６は、実施形態のチャンネル検索処理フローチャートである。
以下の説明においては、実検索対象チャンネルの判別に際し、有効チャンネルリスト２１および検索対象チャンネルリスト２２の双方を参照する場合について説明する。
メインマイコン１５は、まず、現在が待機状態であるか否かを判別する（ステップＳ１１）。
ステップＳ１１の判別において、待機状態でない場合には（ステップＳ１１；Ｎｏ）、優先度の高い処理が発生しているので、メインマイコン１５は、チャンネル検索処理を終了（中断）し、当該処理を実行する。
【００３５】
ステップＳ１１の判別において待機状態である場合には（ステップＳ１１；Ｙｅｓ）、メインマイコン１５は、検索対象チャンネルを決定する（ステップＳ１２）。具体的には、新たな検索である場合には、メインマイコン１５は、例えば、現在受信しているディジタル放送の次のチャンネルを検索対象候補チャンネルとする。
続いて、メインマイコン１５は、有効チャンネルリスト２１を参照し、当該検索対象候補チャンネルが有効であるか否か、すなわち、ディジタル放送を受信可能なチャネルであるか否かを判別する（ステップＳ１３）。
【００３６】
ステップＳ１３の判別において、当該検索対象候補チャンネルが有効チャンネルではなく、無効チャンネルである場合には（ステップＳ１３；Ｎｏ）、メインマイコン１５は、処理を再びステップＳ１１に移行し、以下、同様の処理を行う。
ステップＳ１３の判別において、当該検索対象候補チャンネルが有効チャンネルである場合には（ステップＳ１３；Ｙｅｓ）、メインマイコン１５は、検索対象チャンネルリスト２２を参照し、当該検索対象候補チャンネルが検索対象チャンネルであるか否かを判別する（ステップＳ１４）。
【００３７】
ステップＳ１４の判別において、当該検索対象候補チャンネルが検索対象チャンネルではない場合には（ステップＳ１４；Ｎｏ）、メインマイコン１５は、処理を再びステップＳ１１に移行し、以下、同様の処理を行う。
ステップＳ１４の判別において、当該検索対象候補チャンネルが検索対象チャンネルである場合には（ステップＳ１４；Ｙｅｓ）、メインマイコン１５は、検索対象チャンネルの放送信号を受信し、当該放送信号に含まれているラベル（コンテンツ内容情報）を取得する（ステップＳ１５）。
【００３８】
続いて、メインマイコン１５は、ＥＥＰＲＯＭ１５ｃのコンテンツ特定情報記憶部２３に記憶したコンテンツ特定データを参照し、コンテンツ特定情報記憶部２３に記憶したコンテンツ特定データ中にラベルと一致する（あるいは一致するとみなせる）ものがあるか否かを判別する（ステップＳ１６）。
【００３９】
ステップＳ１６の判別において、ＥＥＰＲＯＭ１５ｃのコンテンツ特定情報記憶部２３に記憶したコンテンツ特定データを参照し、コンテンツ特定情報記憶部２３に記憶したコンテンツ特定データ中にラベルと一致するものがない場合には（ステップＳ１６；Ｎｏ）、処理を再びステップＳ１１に移行する。
ステップＳ１６の判別において、ＥＥＰＲＯＭ１５ｃのコンテンツ特定情報記憶部２３に記憶したコンテンツ特定データ中にラベルと一致するものがある場合には（ステップＳ１６；Ｙｅｓ）、その旨を告知し、当該放送チャンネルの受信を行うか否かの入力を促すアラートを発行するアラート処理を行う（ステップＳ１７）。
【００４０】
図７はアラート処理の処理フローチャートである。
図８は、アラート処理における画面表示例の説明図である。
具体的には、図７の上部に示すように、初期状態において、コンテンツ内容表示エリア３５のアーティスト名表示エリア３６にアーティスト名「ｋｋｋｋｋ」が表示され、曲名表示エリア３７に曲名「ｚｚｚｚｚ」が表示されている状態、すなわち、アーティスト「ｋｋｋｋｋ」による曲名「ｚｚｚｚｚ」の曲が放送されている状態にあるものとする。
この状態において、ＥＥＰＲＯＭ１５ｃのコンテンツ特定情報記憶部２３に記憶したコンテンツ特定データ中にラベルと一致するもの（具体的には、曲名「ｓｓｓｓｓｓｓ」）があると、メインマイコン１５は、ＬＣＤ１７の表示画面に、放送受信画面３０の手前側にアラート画面７０を表示させ（ステップＳ２１）、ＤＳＰ１３を介してスピーカ２０からアラート音を放音させる。
【００４１】
アラート画面７０には、ユーザに当該チャンネルのディジタル放送受信の可否の入力を促すためのボタン７１Ａ、７１Ｂを表示する。
次にメインマイコン１５は、ユーザによるボタン７１Ａ、７１Ｂの選択操作がなされたか否かを判別する（ステップＳ２２）
ステップＳ２２の判別において、ユーザによるボタン７１Ａ、７１Ｂの選択操作がなされなかった場合には（ステップＳ２２；Ｎｏ）、アラート画面７０の表示を開始してから、所定の時間が経過しタイムアップとなったか否かを判別する（ステップＳ２３）。
【００４２】
ステップＳ２３の判別において、未だタイムアップとなっていない場合には（ステップＳ２３；Ｎｏ）、処理を再びステップＳ２２に移行し、以下同様の処理を行う。
ステップＳ２３の判別において、タイムアップとなった場合には（ステップＳ２３；Ｙｅｓ）、アラート画面７０で表示したチャンネル切替をユーザが望んでいないものとみなして処理を終了する。
ステップＳ２２の判別において、ユーザによるボタン７１Ａ、７１Ｂの選択操作がなされた場合には（ステップＳ２２；Ｙｅｓ）、受信チャンネル切替をユーザが指示するボタン７１Ａ（＝「Ｙｅｓ」）が選択されたか否かを判別する（ステップＳ２４）。
【００４３】
ステップＳ２４の判別において、ボタン７１Ａ（＝「Ｙｅｓ」）が選択されなかった場合には（ステップＳ２４；Ｎｏ）、アラート画面７０で表示したチャンネル切替をユーザが望んでいないので、処理を終了する。
ステップＳ２４の判別において、ボタン７１Ａ（＝「Ｙｅｓ」）が選択された場合には（ステップＳ２４；Ｙｅｓ）、アラート画面７０で表示したチャンネル切替をユーザが望んでいるので、メインマイコン１５は、サテライトチューナ１２を制御し、受信チャンネルをアラート画面７０で表示したチャンネル（図８の場合、チャンネル１５０）に切り替える（ステップＳ２５）。
【００４４】
これにより、図８の下部に示すように放送受信画面３０は、遷移し受信チャンネル表示エリア３２には、チャンネル１５０が表示され、受信チャンネル名表示エリアには、受信チャンネル名＝「ｍｍｍ」が表示され、カテゴリ表示エリア３４には、カテゴリ＝「Ｈｉｔｓ」が表示され、コンテンツ内容表示エリア３５のアーティスト名表示エリア３６にはアーティスト名「ａａａａａａ」が表示され、コンテンツ内容表示エリア３５の曲名表示エリア３７には、曲名「ｓｓｓｓｓｓｓ」が表示される。
【００４５】
次にメインマイコン１５は、次回の検索において、ユーザにより受信切替がなされたチャンネルを優先的に検索して実効的な処理速度の向上を図るために、当該チャンネルが受信切替先として選択された回数を記憶しておき、この回数の多い順番でチャンネルを並べ替える検索順番リスト更新を行い（ステップＳ２６）、処理を終了する。
この場合において、検索順番リストの更新は、切替回数のみならず、時間帯、曜日、月などによって検索順番を変更するように構成することも可能である。これにより、よりコンテンツ検索処理の実効的な処理速度を向上させ、よりユーザにとって使い勝手の良いディジタルラジオ受信装置を構成することができる。
【００４６】
以上の説明のように、本実施形態によれば、コンテンツ検索処理における検索対象チャネルを実効的に少なくでき、現在受信中のチャンネル以外のチャンネルでユーザが所望するコンテンツが放送されている場合に、コンテンツの放送開始からアラート通知までの時間を短縮することができ、よりユーザにとって好ましい状態で放送チャンネルの切替を行うことができる。
【００４７】
以上の説明は、コンテンツが楽曲の場合について説明したが、ニュースや、バラエティ、教育番組など様々な放送に適用することが可能である。
以上の説明においては、検索対象チャンネルの決定に、有効チャンネルリストおよび検索対象チャンネルリストを用いていたが、無効チャンネルリストあるいは検索非対象リストを用いるように構成することも可能である。
【図面の簡単な説明】
【００４８】
【図１】実施形態の車載用ディジタルラジオ受信装置の概要構成ブロック図である。
【図２】コンテンツ受信時の画面の一例の説明図である。
【図３】コンテンツ特定情報の設定画面としてのメニュー画面の表示例の説明図である。
【図４】アーティスト名登録処理の説明図である。
【図５】曲名登録処理の説明図である。
【図６】実施形態のチャンネル検索処理フローチャートである。
【図７】アラート処理の処理フローチャートである。
【図８】アラート処理における画面表示例の説明図である。
【符号の説明】
【００４９】
１０  車載用ディジタルラジオ受信装置
１１  アンテナ
１２  サテライトチューナ
１５  メインマイコン
１５ａ  ＲＯＭ
１５ｂ  ＲＡＭ
１５ｃ  ＥＥＰＲＯＭ
１６  サブマイコン
１７  ＬＣＤ
１８  タッチパネル
２１  有効チャンネルリスト
２２  検索対象チャンネルリスト
２３  コンテンツ特定情報記憶部
３０  放送受信画面
３５  コンテンツ内容表示エリア
３６  アーティスト名表示エリア
３７  曲名表示エリア
５０Ａ  アーティスト名登録画面
５０Ａ１  アーティスト登録画面
６０Ａ  曲名登録画面
６０Ａ１  曲名登録画面
７０  アラート画面
【図１】
2010141768.tif 000003
【図２】
2010141768.tif 000004
【図３】
2010141768.tif 000005
【図４】
2010141768.tif 000006
【図５】
2010141768.tif 000007
【図６】
2010141768.tif 000008
【図７】
2010141768.tif 000009
【図８】
2010141768.tif 000010